(57)【要約】【課題】  本発明は、通信中のカード型記憶媒体の取り出し中止をユーザに促すことができ、カード型記憶媒体の通信を途中で中止しなくても良い画像表示装置および記録装置を提供することを課題とする。【解決手段】  排出準備状態検出センサ７３は、プッシュロッド７２の折れ曲がり部分の有無を検出することによって、排出準備状態に移行したことを検出し、排出準備状態検出信号を信号検出部７４に出力する。信号検出部７４は、排出準備状態検出信号が入力されると、カード用コネクタ７１にカード型記憶媒体２０が挿着されている場合には、排出準備状態検出信号をカード制御部８に出力する。カード制御部８は、排出準備状態検出信号が入力されると、カード型記憶媒体２０との間の通信状態を確認し、カード型記憶媒体２０と通信中である場合には、ユーザに警告を報知する。【選択図】        図２
2005115574.tif 000002
【特許請求の範囲】
【請求項１】
カード型記憶媒体が挿抜されるカード用コネクタを有し、当該カード用コネクタから前記カード型記憶媒体を排出する排出機構は、排出準備状態に移行する第１の操作と、前記カード型記憶媒体を前記カード用コネクタから排出する第２の操作との２段階の操作によって排出する構成になっている記録装置であって、
前記第１の操作が行われ、排出準備状態に移行したことを検出する排出準備状態検出手段と、
前記カード型記憶媒体の通信状態を確認する通信状態確認処理を行って前記カード型記憶媒体が通信中か否かを判別するカード制御手段と、
前記排出準備状態検出手段によって排出準備状態に移行したことが検出され、且つ前記カード制御手段によって前記カード型記憶媒体が通信中であると判別された場合に、警告を報知する警告報知手段とを具備することを特徴とする記録装置。
【請求項２】
前記第１の操作と前記第２の操作とを行うための折れ曲がりタイプのプッシュロッドを具備し、
前記排出準備状態検出手段は、前記プッシュロッドの折れ曲がり部分の回動を検出することにより、排出準備状態に移行したことを検出することを特徴とする請求項１記載の記録装置。
【請求項３】
前記第１の操作と前記第２の操作とを行うためのポップアップタイプのプッシュロッドを具備し、
前記排出準備状態検出手段は、前記プッシュロッドのポップアップを検出することにより、排出準備状態に移行したことを検出することを特徴とする請求項１記載の記録装置。
【請求項４】
前記警告報知手段は、音声による警報あるいは警告表示によって警告を報知することを特徴とする請求項１乃至３のいずれかに記載の記録装置。
【請求項５】
前記カード制御手段は、前記警告表示に前記カード型記憶媒体の通信の進捗状況を表示させることを特徴とする請求項４記載の記録装置。
【請求項６】
前記カード制御手段は、前記警告表示に前記カード型記憶媒体の通信の進捗状況を表示させると同時に前記カード型記憶媒体との通信接続を強制的に終了することを特徴とする請求項５記載の記録装置。
【請求項７】
放送信号を映像検波し、映像信号を出力する受信部と、
映像信号が記憶されているカード型記憶媒体と通信し、当該カード型記憶媒体に記憶されている映像信号を出力するカード制御部と、
前記受信部および前記カード制御部から出力された映像信号をＲＧＢ信号に変換する映像出力部と、
該映像出力部によって変換されたＲＧＢ信号を表示する表示部と、
前記カード型記憶媒体が挿入されるカード用コネクタと、
前記カード用コネクタから前記カード型記憶媒体を排出する排出機構と、を備え、
前記排出機構は、排出準備状態に移行させる第１の操作と、前記カード型記憶媒体を前記カード用コネクタから排出させる第２の操作との２段階の操作によって排出する構成であって、
前記第１の操作が行われ、排出準備状態に移行したことを検出する排出準備状態検出手段と、
前記カード型記憶媒体の通信状態を確認する通信状態確認処理を行って前記カード型記憶媒体が通信中か否かを判別するカード制御手段と、
前記排出準備状態検出手段によって排出準備状態に移行したことが検出され、且つ前記カード制御手段によって前記カード型記憶媒体が通信中であると判別された場合に、警告を報知する警告報知手段とを具備することを特徴とする画像表示装置。
【請求項８】
前記第１の操作と前記第２の操作とを行うための折れ曲がりタイプのプッシュロッドを具備し、
前記排出準備状態検出手段は、前記プッシュロッドの折れ曲がり部分の回動を検出することにより、排出準備状態に移行したことを検出することを特徴とする請求項７記載の画像表示装置。
【請求項９】
前記第１の操作と前記第２の操作とを行うためのポップアップタイプのプッシュロッドを具備し、
前記排出準備状態検出手段は、前記プッシュロッドのポップアップを検出することにより、排出準備状態に移行したことを検出することを特徴とする請求項７記載の画像表示装置。
【請求項１０】
前記警告報知手段は、音声による警報あるいは警告表示によって警告を報知することを特徴とする請求項７乃至９のいずれかに記載の画像表示装置。
【請求項１１】
前記カード制御手段は、前記警告表示に前記カード型記憶媒体の通信の進捗状況を表示させることを特徴とする請求項１０記載の画像表示装置。
【請求項１２】
前記カード制御手段は、前記警告表示に前記カード型記憶媒体の通信の進捗状況を表示させると同時に前記カード型記憶媒体との通信接続を強制的に終了することを特徴とする請求項１１記載の画像表示装置。
【発明の詳細な説明】
【技術分野】
【０００１】
本発明は、メモリカード等のカード型記憶媒体が挿入されるスロットを備えた画像表示装置および記録装置に関し、特にカード型記憶媒体をスロットから取り出す際に生じる可能性があるカード型記憶媒体の破損およびデータの消失を防止する画像表示装置および記録装置に関する。
【背景技術】
【０００２】
近年、デジタルテレビジョン装置等の画像表示装置においては、テレビジョン放送の受信のみでなく、メモリカード等のカード型記憶媒体が挿入されるカード用コネクタを備え、カード型記憶媒体に記憶されている画像や映像情報の表示、カード型記憶媒体に記憶されているプログラムの実行等を行うものが存在する。
【０００３】
特に、液晶映像表示装置などの薄型平面表示装置に録画機能を搭載する際には薄型化設計、つまり表示装置全体の奥行きを省くことが要求される。このような背景で、カード型の記憶媒体を用いることは、ハードディスクドライブ装置のような大容量ながらも多層型の記録装置を表示装置に搭載するよりは、薄型製品の要求に合った仕様で設計が可能である。従って、薄型表示装置にカード型記憶媒体を搭載する構成は、製品の要求仕様上そのメリットが大きいといえる。
【０００４】
カード用コネクタへのカード型記憶媒体の挿入やカード用コネクタからのカード型記憶媒体の取り出しは、ユーザが行うことになり、画像表示装置本体とカード型記憶媒体とが通信中にカード用コネクタからカード型記憶媒体が取り出されると、データの消失やカード型記憶媒体の破損が生じる可能性がある。
【０００５】
そこで、カード型記憶媒体の挿入口に開閉可能なドアを設け、当該ドアが開いた場合には、カード型記憶媒体へのアクセスを中止することで、不意にカード型記憶媒体を取り出すことによるデ−タの消失やカード型記憶媒体の破損を防止することが提案されている（例えば、特許文献１参照）。
【０００６】
しかしながら、従来技術では、カード型記憶媒体の挿入口に、カード型記憶媒体の挿抜に必ずしも必要としないドアを設けなければならないと共に、ドアが開いた場合にカード型記憶媒体の通信を途中で中止した場合には、取り出したカード型記憶媒体の記憶内容を後で確認するというユーザにとって繁雑な作業が必要になってしまうという問題点があった。
【特許文献１】実開平６−４８０４３号公報
【発明の開示】
【発明が解決しようとする課題】
【０００７】
本発明は斯かる問題点を鑑みてなされたものであり、その目的とするところは、カード型記憶媒体の挿抜に必ずしも必要としないドア等の部材を設けることなく、通信中のカード型記憶媒体の取り出し中止をユーザに促すことができ、カード型記憶媒体の通信を途中で中止しなくても良く、また、万が一ユーザが警告を無視してカード取り出しを即座に行った場合でも、カードに記録したデータについて書込みエラーが発生する事態を極力防止することが可能な画像表示装置および記録装置を提供する点にある。
【課題を解決するための手段】
【０００８】
本発明は上記課題を解決すべく、以下に掲げる構成とした。
【０００９】
本発明の画像表示装置および記録装置は、カード型記憶媒体が挿抜されるカード用コネクタを有し、当該カード用コネクタから前記カード型記憶媒体を排出する排出機構は、排出準備状態に移行する第１の操作と、前記カード型記憶媒体を前記カード用コネクタから排出する第２の操作との２段階の操作によって排出する構成になっている記録装置であって、前記第１の操作が行われ、排出準備状態に移行したことを検出する排出準備状態検出手段と、前記カード型記憶媒体の通信状態を確認する通信状態確認処理を行って前記カード型記憶媒体が通信中か否かを判別するカード制御手段と、前記排出準備状態検出手段によって排出準備状態に移行したことが検出され、且つ前記カード制御手段によって前記カード型記憶媒体が通信中であると判別された場合に、警告を報知する警告報知手段とを具備することを特徴とする。
【００１０】
また本発明の画像表示装置および記録装置は、放送信号を映像検波し、映像信号を出力する受信部と、映像信号が記憶されているカード型記憶媒体と通信し、当該カード型記憶媒体に記憶されている映像信号を出力するカード制御部と、前記受信部および前記カード制御部から出力された映像信号をＲＧＢ信号に変換する映像出力部と、該映像出力部によって変換されたＲＧＢ信号を表示する表示部と、前記カード型記憶媒体が挿入されるカード用コネクタと、前記カード用コネクタから前記カード型記憶媒体を排出する排出機構と、を備え、前記排出機構は、排出準備状態に移行させる第１の操作と、前記カード型記憶媒体を前記カード用コネクタから排出させる第２の操作との２段階の操作によって排出する構成であって、前記第１の操作が行われ、排出準備状態に移行したことを検出する排出準備状態検出手段と、前記カード型記憶媒体の通信状態を確認する通信状態確認処理を行って前記カード型記憶媒体が通信中か否かを判別するカード制御手段と、前記排出準備状態検出手段によって排出準備状態に移行したことが検出され、且つ前記カード制御手段によって前記カード型記憶媒体が通信中であると判別された場合に、警告を報知する警告報知手段とを具備することを特徴とする。
【００１１】
さらに本発明の画像表示装置および記録装置は、前記第１の操作と前記第２の操作とを行うための折れ曲がりタイプのプッシュロッドを具備し、前記排出準備状態検出手段は、前記プッシュロッドの折れ曲がり部分の回動を検出することにより、排出準備状態に移行したことを検出することを特徴とする。
【００１２】
さらに本発明の画像表示装置および記録装置は、前記第１の操作と前記第２の操作とを行うためのポップアップタイプのプッシュロッドを具備し、前記排出準備状態検出手段は、前記プッシュロッドのポップアップを検出することにより、排出準備状態に移行したことを検出することを特徴とする。
【００１３】
さらに本発明の画像表示装置および記録装置は、前記警告報知手段は、音声による警報あるいは警告表示によって警告を報知することを特徴とする。
【００１４】
さらに本発明の画像表示装置および記録装置は、前記カード制御手段は、前記警告表示に前記カード型記憶媒体の通信の進捗状況を表示させることを特徴とする。
【００１５】
さらに本発明の画像表示装置および記録装置は、前記カード制御手段は、前記警告表示に前記カード型記憶媒体の通信の進捗状況を表示させると同時に前記カード型記憶媒体との通信接続を強制的に終了することを特徴とする。
【発明の効果】
【００１６】
本発明の画像表示装置および記録装置は、カード用コネクタからカード型記憶媒体を排出する排出機構における２段階の操作の内の排出準備状態に移行する第１の操作を検出することで、カード型記憶媒体の挿抜に必ずしも必要としないドア等の部材を設けることなく、ユーザによるカード型記憶媒体の取り出しを事前に検出することができるため、通信中のカード型記憶媒体の取り出し中止をユーザに促すことができ、カード型記憶媒体へのアクセスを途中で中止しなくても良いという効果を奏する。
【発明を実施するための最良の形態】
【００１７】
以下、本発明の実施の形態を図面に基づいて詳細に説明する。
【００１８】
図１は、本発明に係る画像表示装置の実施の形態の構成を示すブロック図であり、図２は、図１に示すスロット部の構成を示すブロック図であり、図３は、図１に示すスロット部の他の実施例の構成を示すブロック図である。
【００１９】
本実施の形態は、図１を参照すると、テレビジョン放送信号を受信するアンテナ１と、アンテナ１によって受信されたテレビジョン放送信号を映像検波し、映像信号および音声信号を出力する受信部２と、入力された映像信号をＲ，Ｇ，Ｂ信号に変換して表示部５に出力する映像出力部３と、入力された音声信号をスピーカ６に出力する音声出力部４と、ＣＲＴや液晶ディスプレイ等の表示部５と、スピーカ６と、メモリカード等のカード型記憶媒体２０が挿入されるスロット部７と、スロット部７に挿入されたカード型記憶媒体２０と通信を行うカード制御部８と、受信部２、映像出力部３、音声出力部４およびカード制御部８を制御する中央制御部９と、中央制御部９に各種の指示を入力する操作部１０とからなる。
【００２０】
スロット部７は、図２を参照すると、挿入されたカード型記憶媒体２０が収納されるカード用コネクタ７１と、カード用コネクタ７１に挿着されたカード型記憶媒体２０の取り出しを行うためのプッシュロッド７２と、プッシュロッド７２が排出準備状態に移行したことを検出する排出準備状態検出センサ７３と、カード用コネクタ７１および排出準備状態検出センサ７３からの出力に応じて状態信号を出力する信号検出部７４とからなる。
【００２１】
プッシュロッド７２は、２段階の操作によってカード型記憶媒体２０を排出する、例えば折れ曲がりタイプのプッシュロッドであり、カード用コネクタ７１にカード型記憶媒体２０が挿着された状態で、図２（ａ）に示すように折れ曲げることにより、突出状態のプッシュロッド７２の誤操作により接続中のカード型記憶媒体２０が意に反して排出されてしまうことを防止している。
【００２２】
カード型記憶媒体２０をカード用コネクタ７１から排出する際には、図２（ａ）に矢印で示す方向にプッシュロッド７２の折れ曲がり部分を回動させ（第１の操作）、図２（ｂ）に示すように、プッシュロッド７２を直線状にした状態で、プッシュロッド７２を図２（ｂ）に矢印で示す方向に押し込むことにより（第２の操作）、図示しないイジェクトレバーを作用させてカード型記憶媒体２０を排出させる。
【００２３】
排出準備状態検出センサ７３は、例えば反射型光センサであり、図２に示すように、プッシュロッド７２の折れ曲がり部分を検出する位置に配置され、プッシュロッド７２の折れ曲がり部分の有無を検出することによって、プッシュロッド７２の折れ曲がり部分を回動させる第１の操作が行われて排出準備状態に移行したことを検出し、排出準備状態検出信号を信号検出部７４に出力する。
【００２４】
信号検出部７４は、排出準備状態検出センサ７３からの排出準備状態検出信号が入力されると、カード用コネクタ７１とカード型記憶媒体２０との接続状態を検出するカード検出処理を行い、カード用コネクタ７１にカード型記憶媒体２０が挿着されている場合には、排出準備状態検出信号をカード制御部８に出力する。さらに、信号検出部７４は、カード用コネクタ７１とカード型記憶媒体２０との接続状態を検出するカード検出処理を行うことで、カード用コネクタ７１からのカード型記憶媒体２０の排出を検出し、カード用コネクタ７１からのカード型記憶媒体２０の排出が検出されると、排出確認信号をカード制御部８に出力する。
【００２５】
カード制御部８は、カード型記憶媒体２０に記憶されている映像信号と音声信号とからなる映像データを読み出し、映像信号を映像出力部３に、音声信号を音声出力部４にそれぞれ出力する再生処理と、受信部２から出力される映像信号および音声信号をカード型記憶媒体２０に映像データとして書き込む録画処理とを行う。
【００２６】
また、カード制御部８は、信号検出部７４からの排出準備状態検出信号が入力されると、カード型記憶媒体２０との間の通信状態を確認する通信状態確認処理を行い、カード型記憶媒体２０と通信中である場合には、音声出力部４を介してスピーカ６から警報を出力すると共に、映像出力部３を介して表示部５に警告表示を行ってユーザに警告を報知することで、ユーザにカード型記憶媒体２０の取り出しを中止することを促す。
【００２７】
プッシュロッド７２としては、図２に示す折れ曲がりタイプのもの以外に、図３に示すような、ポップアップタイプのものを用いてもよい。ポップアップタイプのプッシュロッド７２は、カード用コネクタ７１にカード型記憶媒体２０が挿着された状態で、図３（ａ）に示すように突出しておらず、突出状態のプッシュロッド７２の誤操作により接続中のカード型記憶媒体２０が意に反して排出されてしまうことを防止している。
【００２８】
カード型記憶媒体２０をカード用コネクタ７１から排出する際には、図３（ａ）に矢印で示す方向にプッシュロッド７２を押すことにより、図３（ｂ）に示すように、プッシュロッド７２がポップアップ（突出）し、ポップアップした状態のプッシュロッド７２を図３（ｂ）に矢印で示す方向に押し込むことにより、図示しないイジェクトレバーを作用させてカード型記憶媒体２０を排出させる。
【００２９】
ポップアップタイプのプッシュロッド７２を用いる場合には、排出準備状態検出センサ７３は、図３に示すように、プッシュロッド７２がポップアップしている状態か否かを検出することができる位置に配置され、プッシュロッド７２をポップアップさせる第１の操作が行われて排出準備状態に移行したことを検出し、排出準備状態検出信号を信号検出部７４に出力する。
【００３０】
次に、本実施の形態の操作について図４および図５を参照して詳細に説明する。
【００３１】
図４は、本発明に係る画像表示装置の実施の形態の操作を説明するためのフローチャートであり、図５は、図１に示す表示部に表示される警告表示例および案内表示例を示す説明図である。
【００３２】
排出準備状態検出センサ７３によって、２段階の排出操作における第１の操作（プッシュロッド７２の折れ曲がり部分を回動もしくはプッシュロッド７２のポップアップ）が行われて排出準備状態に移行したことが検出されると（ステップＡ１）、排出準備状態検出センサ７３から信号検出部７４に排出準備状態検出信号が出力される。
【００３３】
信号検出部７４は、排出準備状態検出信号が入力されると、カード用コネクタ７１とカード型記憶媒体２０との接続状態を検出するカード検出処理を行い（ステップＡ２）、カード用コネクタ７１にカード型記憶媒体２０が挿着されているか否かを判別し（ステップＡ３）、カード用コネクタ７１にカード型記憶媒体２０が挿着されていない場合には、処理を終了し、カード用コネクタ７１にカード型記憶媒体２０が挿着されている場合には、排出準備状態検出信号をカード制御部８に出力する。
【００３４】
カード制御部８は、排出準備状態検出信号が入力されると、カード型記憶媒体２０との間の通信状態を確認する通信状態確認処理を行い（ステップＡ４）、カード型記憶媒体２０が通信中か否かを判別し（ステップＡ５）、カード型記憶媒体２０と通信中でない場合には、処理を終了し、カード型記憶媒体２０と通信中である場合には、警報信号を音声出力部４に出力し、音声出力部４は、スピーカ６から警報を出力すると共に、警告表示信号を映像出力部３に出力し、映像出力部３は、表示部５に図５（ａ）に示すような警告表示を行ってユーザに警告を報知することで（ステップＡ６）、ユーザにカード型記憶媒体２０の取り出しを中止することを促す。
【００３５】
次に、カード制御部８は、カード型記憶媒体２０との間の通信状態を確認する通信状態確認処理を行い（ステップＡ７）、通信の進捗状況をユーザに報知すると共に、カード型記憶媒体２０との通信の終了を検出し、（ステップＡ８）、カード型記憶媒体２０との通信が終了すると、案内表示信号を映像出力部３に出力し、映像出力部３は、表示部５に図５（ｂ）に示すような案内表示を行ってユーザにカード型記憶媒体２０が安全に取り外せることを報知することで（ステップＡ９）、ユーザにカード型記憶媒体２０の取り出しを促す。
【００３６】
なお、カード制御部８で行われる通信状態確認処理とは、カード型記憶媒体２０との通信接続状況が接続中の状態、接続解除中の状態もしくは接続解除終了状態のいずれであるかを確認する処理であり、通信状態確認処理と同時にカード型記憶媒体２０との通信接続を強制的に終了する強制終了処理を行うことが可能である。カード制御部８で通信状態確認処理と同時に強制終了処理を行った場合には、第２の操作によって実際にカード用コネクタ７１からカード型記憶媒体２０が排出される前に、カード制御部８とカード型記憶媒体２０との通信接続が終了されるので、万が一、ユーザが報知された警告を無視して第２の操作を即座に行った場合でも、カード型記憶媒体２０に記録したデータについて書き込みエラーが発生する事態を極力防止することが可能となる。
【００３７】
次に、信号検出部７４は、カード用コネクタ７１とカード型記憶媒体２０との接続状態を検出するカード検出処理を行うことで（ステップＡ１０）、カード用コネクタ７１からのカード型記憶媒体２０の排出を検出する（ステップＡ１１）。
【００３８】
カード制御部８は、信号検出部７４によってカード用コネクタ７１からカード型記憶媒体２０が排出されたことが検出されると、排出確認信号を音声出力部４に出力し、音声出力部４は、スピーカ６から排出確認音を出力すると共に、映像出力部３への案内表示信号の出力を中止することで表示部５に表示している案内表示を消去し（ステップＡ１２）、処理を終了する。
【００３９】
以上説明したように、本実施の形態によれば、カード用コネクタ７１からカード型記憶媒体２０を排出する排出機構における２段階の操作の内の排出準備状態に移行する第１の操作を検出することで、カード型記憶媒体２０の挿抜に必ずしも必要としないドア等の部材を設けることなく、ユーザによるカード型記憶媒体２０の取り出しを事前に検出することができるため、通信中のカード型記憶媒体２０の取り出し中止をユーザに促すことができ、カード型記憶媒体２０の通信を途中で中止しなくても良いという効果を奏する。
【００４０】
さらに、本実施の形態によれば、取り出し中止の注意喚起をする間にカード制御部８で強制終了作業を実行することによって、万が一、ユーザが取り出し中止の注意喚起を無視して第２の操作を即座に行った場合でも、カード型記憶媒体２０に記録したデータについて書込みエラーが発生する事態を極力防止することが可能となるという効果を奏する。
【００４１】
なお、本実施の形態における警告報知信号、警告表示信号、案内表示信号および排出確認信号は、通常、中央制御部９あるいはカード制御部８に内蔵あるいは直結したメモリ（図示せず）から発信することが考えられるが、カード型記憶媒体２０のメモリから発する構成でも良いものとする。
【００４２】
なお、カード型記憶媒体２０の現状の一般的仕様としては、ＰＣ−ＡＴＡカードタイプへの搭載が考えられる。ＰＣ−ＡＴＡカードを用いた場合には、プッシュロッド７２によるカード取り出し作業においてプロテクト機能が別段設けられてないことが多いからである。しかしながら対応するスロット部がプッシュロッドを有した仕様であるカード型記憶媒体２０であればこれに限定するものではない。
【００４３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４４】
【図１】本発明に係る画像表示装置の実施の形態の構成を示すブロック図である。
【図２】図１に示すスロット部の構成を示すブロック図である。
【図３】図１に示すスロット部の他の実施例の構成を示すブロック図である。
【図４】本発明に係る画像表示装置の実施の形態の操作を説明するためのフローチャートである。
【図５】図１に示す表示部に表示される警告表示例および案内表示例を示す説明図である。
【符号の説明】
【００４５】
１  アンテナ
２  受信部
３  映像出力部
４  音声出力部
５  表示部
６  スピーカ
７  スロット部
８  カード制御部
９  中央制御部
１０  操作部
２０  カード型記憶媒体
７１  カード用コネクタ
７２  プッシュロッド
７３  排出準備状態検出センサ
７４  信号検出部
【図１】
2005115574.tif 000003
【図２】
2005115574.tif 000004
【図３】
2005115574.tif 000005
【図４】
2005115574.tif 000006
【図５】
2005115574.tif 000007